(57)【要約】      （修正有）【課題】２重アンテナ付きのビデオシグナルプロセッサを提供する。【解決手段】所定の周波であるビデオ信号を受信する、それぞれ、第１、２のアンテナと第１、２のチューナーと第１、２の赤外線受信単元及び第１、２のビデオデコードユニットから構成される第１、２の受信機構と、第１、２のビデオデコードユニットに接続され、第１、２の受信機構からのビデオ信号を受信するビデオ伝送単元と、ビデオ伝送単元に接続され、ビデオ伝送単元からのビデオ信号を受信して、ビデオ信号に対して圧縮とエンコードを行うエンコードユニットと、エンコードユニットに接続され、ビデオ信号を表示するための外部電子装置が接続される接続単元とが含有される２重アンテナ付きのビデオシグナルプロセッサである。【選択図】図２
0003121688.tif 000002
【実用新案登録請求の範囲】
【請求項１】
所定の周波のビデオ信号を受信し、第１のアンテナと、第１のアンテナに接続される第１のチューナーと、第１のチューナーに接続される第１の赤外線受信単元と、第１の赤外線受信単元に接続される第１のビデオデコードユニットとから構成される第１の受信機構と、
所定の周波のビデオ信号を受信し、第２のアンテナと、第２のアンテナに接続される第２のチューナーと、第２のチューナーに接続される第２の赤外線受信単元と、第２の赤外線受信単元に接続される第２のビデオデコードユニットとから構成される第２の受信機構と、
上記の第１、２のビデオデコードユニットに接続され、第１、２の受信機構からのビデオ信号を受信するビデオ伝送単元と、
上記のビデオ伝送単元に接続され、ビデオ伝送単元からのビデオ信号を受信して、当該ビデオ信号に対して、圧縮やエンコードを行うエンコードユニットと、
上記のエンコードユニットに接続され、所定の外部電子装置が接続されることに供され、当該ビデオ信号が外部電子装置に表示される接続単元と、
が含有される、ことを特徴とする２重アンテナ付きのビデオシグナルプロセッサ。
【請求項２】
当該接続単元は、ユニバーサルシリアルバスやCard Busインターフェースカード、Expressインターフェースカード、PCMCIAインターフェースカード、小さいPCIインターフェースカード(mini
PCI)等の所定の外部電子装置が接続されるための接続器であることを特徴とする請求項１に記載の２重アンテナ付きのビデオシグナルプロセッサ。
【考案の詳細な説明】
【技術分野】
【０００１】
本考案は、２重アンテナ付きのビデオシグナルプロセッサに関し、特に、同時に二つの周波の信号を受信して表示でき、或いは、信号の受信感度が向上されるものに関する。
【背景技術】
【０００２】
情報技術の発展と伴い、コンピュータが、現代の人にとって不可欠の電子製品の一つになり、初期の文書処理とデータ整理から、現在のオンラインやＥメール、ＴＶチャンネル及び即時通信等のマルチメディア娯楽機能までは、現代の人に、生活上の娯楽や仕事の便利さを提供し、また、コンピュータを利用して、ＴＶチャンネルを見る場合、昔は、テレビ/コンピュータ（TV/PC）のスイッチングボックスにより、テレビのビデオ信号線とコンピュータの接続線とを接続し、これにより、コンピュータがテレビビデオ信号を受信して放送することができるが、このようなスイッチングボックスは、体積が大きくて、導線によって接続されるため、デスクトップコンピュータに適用するが、優れた携帯性を有するノートブックコンピュータに適用しなく、また、現在、無線やディジタル情報の普及に伴い、前記の従来のスイッチングボックスが実用的なものではない。
【０００３】
上記の従来の欠点を改善するために、関係業者が、デスクトップコンピュータとノートブックコンピュータとに適用するディジタルテレビ受信装置９（図５のように）を提案し、当該ディジタルテレビ受信装置９は、ディジタルテレビ受信装置の作動を制御する制御回路基板９１と、ディジタルテレビ受信装置９に内蔵され、ディジタルテレビ放送システムからの信号を受信し、また、アンテナ９２１が設置される信号受信器９２と、受信した信号に対して復調/変調するテレビチューナー９３と、ノートブックコンピュータ９０（或いはデスクトップコンピュータ）と接続するための接続器９４とから構成され、上記の構成により、ディジタルテレビ放送システムからのディジタル番組を受信できるディジタルテレビ受信装置９が実現される。
【０００４】
上記の従来のディジタルテレビ受信装置は、ディジタルテレビ放送システムからのディジタル番組を受信して、それを接続されているノートブックコンピュータ（或いはデスクトップコンピュータ）に表示されるが、当該ディジタルテレビ受信装置に単一のアンテナしかないため、単一の周波サーチしかできないし、所定周波の受信感度も悪く、そして、単一の画面しか出力できず、画質もよくないため、当該ディジタルテレビ受信装置は、実用的なものとは言えない。
【考案の開示】
【考案が解決しようとする課題】
【０００５】
本考案の目的は、ディジタルテレビ信号を受信する場合、単一の周波サーチしかできないことと、所定周波の受信感度が悪いこととを解消できる２重アンテナ付きのビデオシグナルプロセッサを提供する。
【０００６】
本考案の目的は、ディジタルテレビ信号を受信する場合、画質がよくないことを解消できる２重アンテナ付きのビデオシグナルプロセッサを提供する。
【課題を解決するための手段】
【０００７】
請求項１の考案は、所定の周波のビデオ信号を受信し、第１のアンテナと、第１のアンテナに接続される第１のチューナーと、第１のチューナーに接続される第１の赤外線受信単元と、第１の赤外線受信単元に接続される第１のビデオデコードユニットとから構成される第１の受信機構と、
所定の周波のビデオ信号を受信し、第２のアンテナと、第２のアンテナに接続される第２のチューナーと、第２のチューナーに接続される第２の赤外線受信単元と、第２の赤外線受信単元に接続される第２のビデオデコードユニットとから構成される第２の受信機構と、
上記の第１、２のビデオデコードユニットに接続され、第１、２の受信機構からのビデオ信号を受信するビデオ伝送単元と、
上記のビデオ伝送単元に接続され、ビデオ伝送単元からのビデオ信号を受信して、当該ビデオ信号に対して、圧縮やエンコードを行うエンコードユニットと、
上記のエンコードユニットに接続され、所定の外部電子装置が接続されることに供され、当該ビデオ信号が外部電子装置に表示される接続単元と、
が含有される、ことを特徴とする２重アンテナ付きのビデオシグナルプロセッサである。
【０００８】
請求項２の考案は、当該接続単元が、ユニバーサルシリアルバスやCard Busインターフェースカード、Expressインターフェースカード、PCMCIAインターフェースカード、小さいPCIインターフェースカード(mini
PCI)等の所定の外部電子装置が接続されるための接続器であることを特徴とする請求項１に記載の２重アンテナ付きのビデオシグナルプロセッサである。
【考案を実施するための最良の形態】
【０００９】
図１、２は、それぞれ、本考案の立体外観の概念図と、本考案の基本構造のブロック概念図である。本考案は、図のように、２重アンテナ付きのビデオシグナルプロセッサであり、第１の受信機構１と、第２の受信機構２と、ビデオ伝送単元３と、エンコードユニット４と、接続単元５とから構成され、当該第１の受信機構１と第２の受信機構２、ビデオ伝送単元３、エンコードユニット４及び接続単元をハウジング１０に内蔵し、第１、２の受信機構１、２を異なる周波に調整することにより、同時に二つの周波の信号を受信して表示することができ、或いは、同じ周波に調整することにより、信号の受信感度が向上される。
【００１０】
上記の第１の受信機構１は、所定の周波のビデオ信号を受信し、第１のアンテナ１１と、第１のアンテナ１１に接続される第１のチューナー１２と、第１のチューナー１２に接続される第１の赤外線受信単元１３と、第１の赤外線受信単元１３に接続される第１のビデオデコードユニット１４とから構成され、当該第１の赤外線受信単元１３は、ハウジング１０の一側に位置するウィンドウ部１０１に対応する。
【００１１】
当該第２の受信機構２は、所定の周波のビデオ信号を受信し、第２のアンテナ２１と、第２のアンテナ２１に接続される第２のチューナー２２と、第２のチューナー２２に接続される第２の赤外線受信単元２３と、第２の赤外線受信単元２３に接続される第２のビデオデコードユニット２４とから構成され、当該第２の赤外線受信単元２３は、ハウジング１０の一側に位置するウィンドウ部１０１に対応する。
【００１２】
当該ビデオ伝送単元３は、上記の第１、２のビデオ復調単元１４、２４に接続され、第１、２の受信機構１、２のビデオ信号を受信する。
【００１３】
当該エンコードユニット４は、上記のビデオ伝送単元３に接続され、ビデオ伝送単元３のビデオ信号を受信して、当該ビデオ信号に対して圧縮やエンコードを行う。
【００１４】
当該接続単元５は、上記のエンコードユニット４に接続され、所定の外部電子装置が接続されることに供され、当該ビデオ信号を外部電子装置に表示し、当該接続単元４は、ユニバーサルシリアルバス（USB）やCard Busインターフェースカード、Expressインターフェースカード、PCMCIAインターフェースカード或いは小さいPCIインターフェースカード等の所定の外部電子装置が接続されるための接続器である。上記の構造により、新規な２重アンテナ付きのビデオシグナルプロセッサが構成される。
【００１５】
図３は、本考案の第１の構造のブロック概念図である。図のように、本考案に係わる第１、２の赤外線受信単元１３、２３は、それぞれ、信号変換器１３１、２３１と、信号変換器１３１、２３１に接続される受信センサー１３２、２３２とから構成され、リモコンで第１、２の受信機構１、２の周波を設定や制御することができ、また、当該第１、２の受信機構１、２同士の間にフィルタ６が接続され、当該フィルタ６は、3Dコームフィルタであり、３次元ディジタルY/C分離技術により、ディジタルY/C分離ループで、正確的に、画像の輝度信号（Y）と色信号（C）とを分離し、色同士の間において、互いに干渉するノイズを消去し、また、当該ビデオ伝送単元３とエンコードユニット４との間に、校正器３１が設置され、当該校正器３１は、ガンマ（Gamma）校正器であり、明るい画面において、低いガンマ（Gamma）値を選択して、一部の暗い部分のレベルを犠牲して、明るい部位のレベル（例えば、彩色）より明白にする。
【００１６】
図３、４、５は、それぞれ、本考案の第１の構造のブロック概念図と本考案の第１の構造の使用状態概念図である。図のよう、本考案を利用する時、接続単元５により、所定の外部電子装置が接続され、以下、当該接続単元５の例を、USBとして、当該外部電子装置の例を、ノートブックコンピュータ７とし、実用上、当該接続単元５をノートブックコンピュータ７のUSB接続ベース７１に挿し込み、これにより、本考案がノートブックコンピュータ７に連結され、リモコン８上のボタン８１を操作すると、第１、２の赤外線受信単元１３、２３を、第１、２の受信機構１、２とするように、設定し、ユーザーが、第１、２の受信機構１、２を異なる周波に調整する時、当該第１、２の受信機構１、２の第１、２のアンテナ１１、２１により、それぞれ、異なる周波のビデオ信号を受信し、また、第１、２のチューナー１２、２２によりフィルタ６へ伝送され、そして、フィルタ６から、それぞれ、第１、２のビデオデコードユニット１４、２４（或いは、ビデオ信号を、第１、２のチューナー１２、２２から直接に第１、２のビデオデコードユニット１４、２４）へ伝送し、各ビデオ信号が、ビデオ伝送単元３によって受信された後、エンコードユニット４へ伝送されてビデオフォーマットの編集（MPEG2やMPEG4）を受けてから、接続単元５により、各ビデオ信号がノートブックコンピュータ７へ伝送され、そして、ディスプレー７２に二つの画像の画面A、B（例えば、並列される二つの画像の画面A、B、或いは、大小である二つの画像の画面A、B）が表示され、これにより、同時に、異なる周波のビデオ信号を受信して表示できる。
【００１７】
また、ユーザーが第１、２の受信機構１、２を同じ周波に調整する時、当該第１、２の受信機構１、２の第１、２のアンテナ１１、２１が、それぞれ、同じ周波のビデオ信号を受信して、第１、２のチューナー１２、２２からフィルタ６へ伝送し、また、フィルタ６から、それぞれ、第１、２のビデオデコードユニット１４、２４（或いは、ビデオ信号を、第１、２のチューナー１２、２２から直接に第１、２のビデオデコードユニット１４、２４）へ伝送し、同じビデオ信号が、ビデオ伝送単元３によって受信された後、エンコードユニット４へ伝送されてビデオフォーマットの編集（MPEG2やMPEG4）を受けてから、接続単元５により、ビデオ信号がノートブックコンピュータ７へ伝送され、そして、ディスプレー７２に所定の画像の画面が表示され、また、第１、２の受信機構１、２が、同じ周波のビデオ信号を受信するため、ビデオ信号の受信感度を増強する効果が得られる。また、本考案の第１の構造は、第１、２の赤外線受信単元１３、２３を利用するが、本考案は、第３の赤外線受信単元３３を利用しても良く、それを当該ビデオ伝送単元３に接続し、当該第３の赤外線受信単元３３が、信号変換器３３１と信号変換器３３１に接続される受信センサー３３２とからなり、これにより、同時に二つの異なる周波のビデオ信号を受信して表示できる。
【００１８】
上記のように、本考案の２重アンテナ付きのビデオシグナルプロセッサは、第１、２の受信機構を異なる周波に調整することにより、同時に二つの周波の信号を受信して表示でき、または、同じ周波に調整することにより、信号の受信感度が増強される効果が得られ、そのため、本考案は、より進歩的且つより実用的であるため、法に従って、実用新案登録請求を出願する。
【００１９】
以上は、ただ、本考案のより良い実施例であり、本考案は、それによって制限されることが無く、本考案に係わる実用新案登録請求の範囲や明細書の内容に従って等価の変更や修正が、全てが本考案に係わる実用新案登録請求の範囲内に含まれる。
【図面の簡単な説明】
【００２０】
【図１】本考案の立体外観の概念図
【図２】本考案の基本構造のブロック概念図
【図３】本考案の第１の構造のブロック概念図
【図４】本考案の第１の構造の使用状態概念図
【図５】本考案の第２の構造のブロック概念図
【図６】従来の使用状態概念図
【符号の説明】
【００２１】
（本考案部分）
１            第１の受信機構
１０          ハウジング
１０１       ウィンドウ部
１１          第１のアンテナ
１２          第１のチューナー
１３          第１の赤外線受信単元
１３１、２３１              信号変換器
１３２、２３２              受信センサー
１４          第１のビデオデコードユニット
２            第２の受信機構
２１          第２のアンテナ
２２          第２のチューナー
２３          第２の赤外線受信単元
２４          第２のビデオデコードユニット
３            ビデオ伝送単元
３１          校正器
３３          第３の赤外線受信単元
３３１        信号変換器
３３２        受信センサー
４            エンコードユニット
５            接続単元
６            フィルタ
７            ノートブックコンピュータ
７１          USB接続ベース
７２          ディスプレー
８            リモコン
８１          ボタン
A、B          画像の画面
（従来部分）
９            ディジタルテレビ受信装置
９０          ノートブックコンピュータ
９１          制御回路基板
９２          信号受信器
９２          アンテナ
９３          テレビチューナー
９４          接続器
【図１】
0003121688.tif 000003
【図２】
0003121688.tif 000004
【図３】
0003121688.tif 000005
【図４】
0003121688.tif 000006
【図５】
0003121688.tif 000007
【図６】
0003121688.tif 000008